(57)【要約】  本発明は、表面の一方に凹設され第２の基板体によって覆われる微細加工分離チャネルを保持している第１の基板体を備え、第１の基板体及び第２の基板体の両方に、試料及びキャリア液の供給及び抜き出し用の接続孔が穿孔される、クロマトグラフ分離装置に関する。本装置は、微細加工分離チャネルが、微細加工ピラーの配列が充填される流量分配領域によって前後を挟まれ、微細加工ピラーは、流量分配領域の軸方向透過率に対する横方向透過率が少なくとも２であるように選択される形状、サイズ、及び位置決めパターンを有することを特徴とする。【選択図】図１ａ
2010528276.tif 000002
【特許請求の範囲】
【請求項１】
表面の一方に凹設され第２の基板体によって覆われる微細加工分離チャネルを保持している第１の基板体を備え、前記第１の基板体及び前記第２の基板体の両方に、試料及びキャリア液の供給及び抜き出し用の入口接続孔及び出口接続孔が穿孔される、クロマトグラフ分離装置であって、
前記微細加工分離チャネルは、微細加工ピラーの配列が充填される流量分配領域（２０）によって前後を挟まれ、前記微細加工ピラーは、前記流量分配領域の軸方向透過率に対する横方向透過率が少なくとも２であるように選択される形状、サイズ、及び位置決めパターンを有することを特徴とする、クロマトグラフ分離装置。
【請求項２】
前記流量分配領域は、前記分離チャネルの幅と等しい実質的に均一な横方向幅を有する、請求項１に記載のクロマトグラフ分離装置。
【請求項３】
前記微細加工ピラーは、ダイヤモンド状又は楕円状の形状を有する、請求項１又は２に記載のクロマトグラフ分離装置。
【請求項４】
前記微細加工ピラーは、横方向幅対軸方向幅の比が３／２よりも大きい、請求項１ないし３のいずれか１項に記載のクロマトグラフ分離装置。
【請求項５】
前記微細加工ピラーは、異なるピラーサイズの異なる区域に配置され、該異なる区域は、最小ピラーを含む区域から最大ピラーを含む区域まで実質的に単調な順序で配置され、最大ピラーを含む区域は、前記第１の基板体及び前記第２の基板体の前記入口接続孔及び前記出口接続孔の最も近くに配置される、請求項１ないし４のいずれか１項に記載のクロマトグラフ分離装置。
【請求項６】
最大ピラーを有する前記微細加工ピラーの区域は、ピラーのない開放区域に隣接する、請求項１ないし５のいずれか１項に記載のクロマトグラフ分離装置。
【請求項７】
前記開放区域は１μｍ〜２０μｍの幅を有する、請求項６に記載のクロマトグラフ分離装置。
【請求項８】
前記微細加工ピラーのサイズ及びピラー間距離は横方向で変わる、請求項１ないし７のいずれか１項に記載のクロマトグラフ分離装置。
【請求項９】
前記流量分配領域の少なくとも一部は、前記分離チャネルよりも浅い深さを有する、請求項１ないし８のいずれか１項に記載のクロマトグラフ分離装置。
【請求項１０】
前記流量分配領域の少なくとも一部は、前記分離チャネルを保持している表面とは異なる表面上に配置される、請求項１ないし９のいずれか１項に記載のクロマトグラフ分離装置。
【請求項１１】
少なくとも２つの異なる前記流量分配領域が、異なる表面上に設けられ、前記異なる流量分配領域は、異なる液体槽に接続される、請求項１ないし１０のいずれか１項に記載のクロマトグラフ分離装置。
【請求項１２】
前記流量分配領域に、１つ又は複数の不透過薄壁が設けられ、該不透過薄壁は、前記流量分配領域を２つ以上のセクションに少なくとも部分的に分割し、且つ平均流れ方向と平行に設けられ、前記セクションは、それぞれ異なる入口チャネル又は出口チャネルに接続される、請求項１ないし１１のいずれか１項に記載のクロマトグラフ分離装置。
【発明の詳細な説明】
【技術分野】
【０００１】
本発明は、液体クロマトグラフィの分野に関する。本発明は、分離チャネルに試料及びキャリア液を分配する装置及び方法に関する。
【背景技術】
【０００２】
液体クロマトグラフィの技術分野では、ポリマー、シリコン、又はガラスウェハの表面上に配置されている微細加工分離チャネルを利用する装置の開発がますます進んでいる。エッチング技法を用いることで、上記微細加工分離チャネルは通常、扁平矩形断面を有する、すなわち深さよりも幅の方がはるかに大きいか、又は幅よりも深さの方がはるかに大きい。
【０００３】
液体クロマトグラフ分離を実施して検出するために、上記微細加工分離チャネルは、試料注入器及び検出器装置に結合される。従来、この結合は、円筒形の接続キャピラリを用いて確保される。ここで浮上する技術的課題は、限られた直径を有する円管から流入する液体を、過剰なバンドの広がり又は軸方向の分散をもたらすことなく上記微細加工分離チャネルの断面にわたって均一に広げるべきであるということである。同様に、扁平矩形分離チャネル内と試料をオフチップ検出器へ導くのに必要な円管との間で流れを移行させるために、分配領域が分離チャネルの端に配置されることも重要である。液体クロマトグラフィを実施する場合、この移行部ではバンドの広がりが最小限に抑えられるべきである。これらの流量分配構造の設計に必要であり得る工学的な一般規則の１つは、それらの全容積を小さくすべきであることだが、これは、装置のバンドの広がり又は軸方向の分散がその容積に概ね比例するからである。
【０００４】
これを踏まえると、非特許文献１で提案されている、６０度〜９０度の開放角度を有する三角形の分配領域を利用する、マイクロチャネルに液体を分散させる解決手段には、入口チャネル幅に対する分離チャネル幅の比が大きい場合にその占有容積が大きくなりすぎるという明らかな欠点がある。例えば、分離チャネルの幅が１ｃｍであれば、開放角度が９０度である場合の分配用三角形の長さも１ｃｍにしなければならなくなる。特許文献１で提案されている連続分岐チャネル入口も、そのように広がったチャネル入口又は出口を利用している。
【先行技術文献】
【特許文献】
【０００５】
【特許文献１】米国特許第６，１５６，２７３号明細書
【非特許文献】
【０００６】
【非特許文献１】Santet al. (2006, Reduction of End Effect-Induced Zone Broadening in Field-FlowFractionation Channels, Anal. Chem., online publication A-H)
【発明の概要】
【発明が解決しようとする課題】
【０００７】
当該技術分野において、上記欠点の少なくともいくつかを克服する、微罪加工分離チャネルに試料及びキャリア液を分配する装置を提供する必要がある。
【課題を解決するための手段】
【０００８】
本発明は、微細加工分離チャネルに試料及びキャリア液を分配する装置であって、上記分離チャネルにおける試料及びキャリア液の分散又は透過率が改善される、装置を提供する。特に、本発明は、流量分配領域が設計される装置であって、横方向の分散又は透過率が軸方向の分散又は透過率よりも大きくなるように促進される、装置を提供する。流入する液体をチャネル断面全体に横方向に広げる必要があることを考えれば、そのような設計がはるかに有利である。特許文献１及び非特許文献１で提案されている流量分配構造は、横方向の分散が軸方向の分散よりも小さいものであることに留意されたい。
【０００９】
それに加えて、本発明による全実施形態において、微細加工ピラーの配列が好ましくは全深に充填される流量分配領域が形成される（developed）装置であって、微細加工ピラーの配列が、上記流量分配領域の軸方向透過率に対する横方向透過率の比が少なくとも２であるように選択される形状、サイズ、及び位置決めパターンを有する、装置が提供される。
【００１０】
この透過率の比は、例えば、計算流体力学ソフトウェアを用いて、分配領域を軸方向に進む流れの圧力低下を計算し、それを同じ平均速度で分配領域を横方向に進む流れの圧力低下と比較することで計算することができる。このとき、両方の圧力低下の比は透過率の比の逆数である。
【図面の簡単な説明】
【００１１】
【図１ａ】本発明による流量分配領域の１つが配置されている分離チャネルの上面図である。
【図１ｂ】適当な横方向幅対軸方向幅比を有するマイクロピラー形状の例を示す。
【図２】横方向に変わるサイズ及び／又はピラー間距離を有するピラーから成る、本発明による流量分配領域の１つの上面図である。
【図３】流量分配領域の少なくとも一部が上記分離チャネルよりも浅い深さにエッチングされる、本発明による流量分配領域の１つの縦断面図である。
【図４】流量分配領域が分離チャネルを保持している表面とは異なる表面上に配置される、本発明による装置の縦断面図である。
【図５】２つの異なる流量分配領域が異なる入口槽に接続される、本発明による装置の縦断面図である。
【図６ａ】平行に延びる分離壁を有し、且つ異なる入口チャネルに接続されている、本発明による流量分配領域の１つの上面図を示す。
【図６ｂ】平行に延びる分離壁を有し、且つ異なる出口チャネルに接続されている、本発明による流量分配領域の１つの上面図を示す。  (図７ａ)（図面なし）ガラスカバー板を通して見ることによって得られた、本発明による流量分配領域を用いた円筒形のマイクロピラーの配列に分配された蛍光クマリントレーサのＣＣＤカメラ画像の上面図である。  (図７ｂ)（図面なし）ガラスカバー板を通して見ることによって得られた、連続分岐入口システム（従来技術）を用いた円筒形のマイクロピラーの配列に分配された蛍光クマリントレーサのＣＣＤカメラ画像の上面図である。
【発明を実施するための形態】
【００１２】
本発明は、分離媒体を収容している扁平矩形分離チャネルの横方向幅にわたって均一に液体を広げるように設計される、流量分配領域に関する。上記分離媒体は、別のマイクロピラー配列、ビードパッキング、モノリシック支持体、又は任意の他の適当なクロマトグラフ媒体であり得る。
【００１３】
「分配」及び「分散」という用語は、本明細書中ではいくつかの実施形態で同義語として用いられ、或る面積又は容積にわたって散乱する空間特性を指す。
【００１４】
本明細書中で用いられる「透過率」という用語は、好ましくは本明細書中で定義するような微細加工分離チャネルにおける材料を通る液体の流量を指す。
【００１５】
第１の実施形態では、本発明は、表面の一方に凹設され第２の基板体によって覆われる微細加工分離チャネルを保持している第１の基板体を備え、第１の基板体及び第２の基板体の両方に、試料及び移動相液の供給及び抜き出し用の必要な接続孔が穿孔される、クロマトグラフ分離装置であって、上記微細加工分離チャネルは、微細加工ピラーの配列が下から上まで充填される流量分配領域によって前後を挟まれ（preceded or succeeded）、微細加工ピラーは、流量分配領域の軸方向透過率に対する横方向透過率が少なくとも２であるように選択される形状、サイズ、及び位置決めパターンを有することを特徴とする、クロマトグラフ分離装置を提供する。好ましくは、本発明は、表面の一方に凹設され第２の基板体によって覆われる微細加工分離チャネルを保持している第１の基板体を備え、第１の基板体及び第２の基板体の両方に、試料及びキャリア液の供給及び抜き出し用の入口接続孔及び出口接続孔が穿孔される、クロマトグラフ分離装置であって、上記微細加工分離チャネルは、微細加工ピラーの配列が充填される流量分配領域によって前後を挟まれ、微細加工ピラーは、流量分配領域の軸方向透過率に対する横方向透過率が少なくとも２であるように選択される形状、サイズ、及び位置決めパターンを有することを特徴とする、クロマトグラフ分離装置に関する。
【００１６】
好ましい実施形態では、上記流量分配領域は、上記分離チャネルの幅と等しい実質的に均一な横方向幅を有する。
【００１７】
別の実施形態では、微細加工ピラーが、ダイヤモンド状又は楕円状の形状を有する、装置が提供される。好ましくは、微細加工ピラーは、横方向幅対軸方向幅の比が３／２よりも大きい。
【００１８】
好ましい実施形態では、本発明は、微細加工ピラーが、異なるピラーサイズの異なる区域に配置され、該異なる区域は、最小ピラーを含む区域から最大ピラーを含む区域まで実質的に単調な順序で配置され、最大ピラーを含む区域は、上記第１の基板体及び第２の基板体の入口接続孔及び出口接続孔の最も近くに配置される、装置に関する。
【００１９】
さらにより好ましくは、最大ピラーを有する上記微細加工ピラーの区域が、ピラーのない開放区域に隣接する、装置が提供される。開放区域は好ましくは１μｍ〜２０μｍの幅を有する。
【００２０】
図１ａは、分離媒体を充填した分離チャネル５の前方にある本発明による流量分配領域の一実施形態を示し、これは、横方向の流れに対する抵抗が最小である流域を構成する、好ましくは幅が１μｍ〜１０μｍであり入口オリフィス１に直接接続される短い開放領域１０と、それに続く、横方向幅３１対軸方向幅３２の比（図１ｂ）が３／２よりも大きく且つ軸方向透過率よりも少なくとも２倍高い横方向透過率をもたらすのに十分なほど密集している微細加工ピラー３０を備える、本発明による流量分配領域２０とを備える。好ましい実施形態では、上記マイクロ加工（micro-machined）ピラーは、最大のピラーが上記分離チャネルを保持している基板体の入口オリフィス１の最も近くにあるようにして、サイズが大きい順に配置される。チャネル出口では、流量分配領域を構成する異なる領域は、最小の流量分配ピラーから始まって開放領域で終わるようにして、逆の順序で配置されるものとする。
【００２１】
図１ｂは、本発明による流量分配領域（複数可）で用いるのに効果的であり得るいくつかの可能な微細加工ピラー形状の上面図を示す。「微細加工」又は「マイクロ加工」という用語は、本明細書中では同義語として用いられる。所望のマイクロピラーを製造する方法は、マイクロ加工の当業者には既知であり、例えばボッシュエッチング又はＬＩＧＡ複製である。マイクロピラーを製造するのに適した基板は、例えばガラスウェハ又はシリカウェハである。本明細書中で用いられる「マイクロピラー」又は「ピラー」という用語は、マイクロ加工技法を用いて加工された構造を指す。
【００２２】
別の実施形態では、本発明は、上記マイクロピラーのサイズ及びピラー間距離が横方向で変わる装置を提供する。液体のさらに良好な横方向分配を促進するために、入口オリフィス及び／又は出口オリフィスから最も遠い横方向チャネル部分の方が流れ抵抗が小さい流量分配領域を有するように、横方向で変わるサイズ及び／又はピラー間距離を有するピラーのパターンを提供することも、本発明の態様の１つである。そのような実施形態を、例えば図２に示す。
【００２３】
さらに別の好ましい実施形態では、流量分配領域の少なくとも一部が、上記分離チャネルよりも浅い深さを有する、すなわち、上記分離チャネルよりも浅い深さにエッチングされる。図３は、そのような実施形態を示し、この実施形態では、開放領域１０ａ及び流量分配領域の第１の部分２０ａが、分離媒体を収容している分離チャネル５及び同じく開放領域１０ｂの後方にあることが好ましい流量分配領域の第２の部分２０ｂよりも大幅に浅い深さにエッチングされる。この実施形態の利点は、流量分配領域の容積がさらに小さくなることである。本発明によるいくつかの実施形態では、上記深くエッチングされた第２の部分２０ｂを省いてもよい。しかしながら、場合によっては、上記流量分配領域の深くエッチングされた第２の部分２０ｂの特定の利点を、該第２の部分の軸方向透過率を非常に低くするようにピラーサイズ及びピラー間寸法を選択することによって得ることができる。これは、本質的に下方に延びる開放領域１０ｂ内の対流を誘発することで分離チャネルの深さ全体での混合を促進するのに役立つ。
【００２４】
別の実施形態では、本発明は、流量分配領域の少なくとも一部が上記分離チャネルを保持している表面とは異なる表面上に配置される、装置を提供する。本発明は、上記分離チャネルを保持している表面と同じ表面上に配置される流量分配領域に限定されない。図４に示すように、垂直にエッチングされた接続チャネル２５を用いることで、分離媒体を充填した分離チャネル５を保持している基板体４０の（分離チャネルを保持している表面とは反対の）表面、又は分離チャネルを閉鎖するのに用いられる基板体６０の表面の一方に、流量分配領域の少なくとも第１の部分２０ａを配置することが可能になる。これらの実施形態の利点は、垂直に延びる接続チャネル２５が、分離チャネルへの垂直な流れを誘発することで、チャネルの深さ全体での混合を促進することである。
【００２５】
本発明による別の実施形態では、少なくとも２つの異なる流量分配領域が異なる表面にあり異なる液体槽に接続される、装置が提供され得る。異なる流体槽から流入する複数の入口流が用いられ得る。例えば、図５に示すように、流量分配領域の第１の部分２０ａに供給される１つの入口流が提供され、流量分配領域の第２の部分２０ｂに供給される第２の入口流が提供され、第２の入口流は、流量分配領域の第２の部分２０ｂを閉鎖するのに用いられる第３の基板８０に加工されている第２の入口オリフィス７０を経て分離装置に入る（図５）。この実施形態の利点は、主な移動相流又はキャリア流体に用いられる流量分配領域よりも小さな、したがって生じるバンドの広がりも小さな、流量分配領域を通して、分離対象試料を送ることができることである。別個の入口流の両方が、交互に又は同時に導かれ得る。
【００２６】
本発明によるさらに別の実施形態では、上記流量分配領域に１つ又は複数の不透過薄壁が設けられ、該薄壁が上記流量分配領域を２つ以上のセクションに少なくとも部分的に分割し、且つ平均流れ方向と平行に設けられ、好ましくは上記セクションがそれぞれ異なる入口チャネル又は出口チャネルに接続される、装置が提供される。例えば、流量分配領域は、平均流れ方向と平行に延びるｎ個の不透過薄壁８００（ｎ＞１）を用いて少なくとも部分的に分割されることで、流量分配領域の異なる横方向部分間の連通を防止する。図６ａは、この手法をどのようにして用いると、別個の供給チャネル８１、８２、及び８３を用いてチャネルの中央部分のみに試料を供給できるかを示す。図６ｂは、この手法をどのようにして用いると、第２の出口チャネル９２及び第３の出口チャネル９３を用いてチャネルの側壁の最も近くに流れる液体を廃棄物として排出しながら、第１の出口チャネル９１のみを用いてチャネルの中央部分を通って進む液体を検出器装置に供給できるかを示す。流れを分割する上記不透過薄壁を流量分配領域内に配置することが特に有利な理由は、流量分配領域が、広い分離チャネルと狭い入口チャネル及び出口チャネルとの間の移行部によって引き起こされるバンドの広がりも制限するようになるからであり、平行な入口チャネル及び出口チャネルの流れ抵抗を本発明による流量分配領域の流れ抵抗と比較して無視できるほどにすることによって、本発明による流量分配領域の大きな流れ抵抗が、上記平行な入口チャネル間又は平行な出口チャネル間の流れ抵抗の差の影響を軽減できるからでもある。
【００２７】
種の注入及び検出をチャネルの中央領域に制限することは、流量分配装置自体が不適切に機能して歪んだ速度プロファイル１００をもたらす場合に非常に有利であると予想され得る。この場合、速度プロファイルの歪みが側壁付近よりもはるかに小さくなるチャネルの中央部分のみで注入及び／又は検出することが有利であろう。Broeckhoven and Desmet (Journal of Chromatography A, 1172 (2007),25-39)に記載されている側壁分散問題を回避することも非常に有利である。
【００２８】
本発明はさらに、それぞれ試料及びキャリア液の供給及び抜き出し用の入口接続孔及び出口接続孔を有する微細加工分離チャネルにおける上記試料及びキャリア液の分散及び／又は透過率を制御する方法に関し、該方法は、軸方向透過率よりも高い横方向透過率をもたらすことを含む。好ましくは、該方法は、上記軸方向透過率よりも少なくとも２倍高い横方向透過率をもたらすことを含む。この方法は、上記微細加工分離チャネルの前方又は後方に、微細加工ピラーの配列が充填される流量分配領域を設けることによって行われる。上記ピラーは、本明細書中で定義されるような、上記流量分配領域が提供する軸方向透過率に対する横方向透過率の比が少なくとも２であるように選択された形状、サイズ、及び位置決めパターンを有する。
【００２９】
別の実施形態では、本発明は、微細加工分離チャネルのうち上記接続孔から最も遠くにある横方向部分により小さな流れ抵抗をもたらすことを含む、上記分離チャネルにおける試料及びキャリア液の流れ分散又は透過率を制御する方法を提供する。この実施形態は、上記微細加工分離チャネルの横方向の上記マイクロピラーの形状、サイズ、位置決めパターン、及び／又はピラー間距離を変えることによって得ることができる。
【００３０】
本発明はさらに、上記試料及び上記キャリア液の透過率（分散）を別個に制御することを含む方法を提供する。
【００３１】
図７ａ及び図７ｂ（添付図なし）は、軸方向幅よりも１０倍大きな横方向幅を有するダイヤモンドピラーから成り、したがって軸方向の分散に対する横方向の分散の比が２よりも大きい、本発明による流量分配領域で得られるバンドの広がり（図７ａ）を、例えば特許文献１に開示されているような連続分岐入口システムで得られるバンドの広がり（図７ｂ、従来技術）と比較した、ＣＣＤカメラ画像の上面図である。図７ａにおけるバンドは、図７ｂにおけるバンドよりも明らかに狭く歪みが小さい。図７ｂにおけるバンドの歪みの原因は、分岐入口の分枝同士が横方向に相互接続されていないため、分岐チャネルシステムの分枝間で避けられないわずかなエッチング誤差によって生じる流れ抵抗の差に起因するバンド歪みを入口システムの残りの部分で補正できないことにある。他方、本発明による流量分配領域は、横方向混合を促進することで横方向混合によってわずかなバンド歪みを即時補正することを可能にするように設計される。
2010528276.tif 000003
2010528276.tif 000004
【図１ａ】
2010528276.tif 000005
【図１ｂ】
2010528276.tif 000006
【図２】
2010528276.tif 000007
【図３】
2010528276.tif 000008
【図４】
2010528276.tif 000009
【図５】
2010528276.tif 000010
【図６ａ】
2010528276.tif 000011
【図６ｂ】
2010528276.tif 000012
【国際調査報告】
2010528276.tif 000013
2010528276.tif 000014
2010528276.tif 000015
2010528276.tif 000016